(57)【要約】【課題】テレビジョン番組の視聴と、そのテレビジョン番組に関連したネットワーク上の情報の閲覧とを、単一の端末の一連の簡単な操作で行う。【解決手段】端末１に、ネットワーク３１経由で通信を行う通信手段と、コンテンツを受信する機器２１にコマンドを送信する送信手段と、表示手段と、表示手段に表示される情報を選択する操作手段と、現在提供中のコンテンツに関連する情報の送信要求を、通信手段を介してネットワーク３１上のサーバー３２に送る処理手段と、サーバー３２から受信した個々のコンテンツについての情報を、そのコンテンツの提供主体を特定する識別情報と対応させて表示手段に表示する処理手段と、送信手段を介して機器２１を制御して、操作手段で選択された識別情報で特定される提供主体からコンテンツを受信させる制御手段とを備える。【選択図】            図３
2005033328.tif 000002
【特許請求の範囲】
【請求項１】
ネットワーク経由で通信を行う通信手段と、
コンテンツを受信する機器にコマンドを送信するための送信手段と、
表示手段と、
前記表示手段に表示される情報を選択するための操作手段と、
現在提供中のコンテンツに関連する情報の送信要求を、前記通信手段を介してネットワーク上のサーバーに送る処理手段と、
前記サーバーから前記情報を受信したことに基づき、個々の前記コンテンツについての前記情報を、該コンテンツの提供主体を特定する識別情報と対応させて前記表示手段に表示する処理手段と、
前記操作手段でいずれかの前記識別情報が選択されたことに基づき、前記送信手段を介し、コンテンツを受信する機器を制御して、選択された前記識別情報で特定される前記提供主体からコンテンツを受信させる制御手段と
を備えたことを特徴とするコンテンツマネージメント端末。
【請求項２】
請求項１に記載のコンテンツマネージメント端末において、
前記送信手段は赤外線送信手段であることを特徴とするコンテンツマネージメント端末。
【請求項３】
ネットワーク経由で通信を行う通信手段と、
コンテンツを受信する機器にコマンドを送信するための送信手段と、
表示手段と、
前記表示手段に表示された情報を選択するための操作手段と
を備えた端末における、コンテンツを受信する機器を制御し且つコンテンツに関連した情報を提示する方法において、
現在提供中のコンテンツを関連した情報の送信要求を、前記通信手段を介してネットワーク上のサーバーに送る第１ステップと、
前記サーバーから前記情報を受信したことに基づき、個々の前記コンテンツについての前記情報を、該コンテンツの提供主体を特定する識別情報と対応させて前記表示手段に表示する第２ステップと、
前記操作手段でいずれかの前記識別情報が選択されたことに基づき、前記送信手段を介し、コンテンツを受信する機器を制御して、選択された前記識別情報で特定される前記提供主体からコンテンツを受信させる第３ステップと
を有することを特徴とするコンテンツ受信機器の制御及び関連情報の提示方法。
【請求項４】
コンピュータに、
現在提供中のコンテンツを関連した情報の送信要求を、ネットワーク経由で通信を行う通信手段を介してネットワーク上のサーバーに送る手順と、
前記サーバーから前記情報を受信したことに基づき、個々の前記コンテンツについての前記情報を、該コンテンツの提供主体を特定する識別情報と対応させて表示手段に表示する手順と、
前記表示手段に表示したいずれかの前記識別情報が選択されたことに基づき、コンテンツを受信する機器にコマンドを送信するための送信手段を介し、前記機器を制御して、選択された前記識別情報で特定される前記提供主体からコンテンツを受信させる手順と
を実行させるためのプログラム。
【請求項５】
それぞれコンテンツの提供主体を特定する複数の識別情報の中から識別情報を選択するための操作手段と、
ネットワーク経由で通信を行う通信手段と、
コンテンツを受信する機器にコマンドを送信するための送信手段と、
表示手段と、
前記操作手段で前記識別情報が選択されたことに基づき、前記送信手段を介して前記機器を制御し、選択された前記識別情報で特定される前記提供主体からのコンテンツを受信させる制御手段と、
前記操作手段で前記識別情報が選択されたことに基づき、前記通信手段を介し、選択された前記識別情報で特定される前記提供主体で現在提供中のコンテンツに関連したネットワーク上の情報提供装置を示す情報の送信要求をネットワーク上のサーバーに送る処理手段と、
前記サーバーから、前記情報提供装置を示す情報を受信したことに基づき、前記情報提供装置の存在を報知する報知手段と、
前記報知手段で報知された前記情報提供装置へのアクセスを指示する操作を行うための第２の操作手段と、
前記第２の操作手段による指示に基づき、前記通信手段を介して前記情報提供装置にアクセスし、前記情報提供装置から受信した情報を前記表示手段に表示する処理手段と
を備えたことを特徴とするコンテンツマネージメント端末。
【請求項６】
請求項５に記載のコンテンツマネージメント端末において、
前記送信手段は赤外線送信手段であることを特徴とするコンテンツマネージメント端末。
【請求項７】
請求項５に記載のコンテンツマネージメント端末において、
個人を認証する認証手段
をさらに備えたことを特徴とするコンテンツマネージメント端末。
【請求項８】
請求項７に記載のコンテンツマネージメント端末において、
ＩＣカードリーダーと、
ネットワーク上の課金決済装置との間で、前記ＩＣカードリーダーによってＩＣカードから読み取った情報を用いた課金決済を行う課金決済手段と
をさらに備えたことを特徴とするコンテンツマネージメント端末。
【請求項９】
それぞれコンテンツの提供主体を特定する複数の識別情報の中から識別情報を選択するための操作手段と、
ネットワーク経由で通信を行う通信手段と、
コンテンツを受信する機器にコマンドを送信するための送信手段と、
表示手段と
を備えた端末における、コンテンツを受信する機器を制御し且つコンテンツに関連した情報を提示する方法において、
前記操作手段で前記識別情報が選択されたことに基づき、前記送信手段を介して前記機器を制御し、選択された前記識別情報で特定される前記提供主体からのコンテンツを受信させる第１ステップと、
前記操作手段で前記識別情報が選択されたことに基づき、前記通信手段を介し、選択された前記識別情報で特定される前記提供主体で現在提供中のコンテンツに関連したネットワーク上の情報提供装置を示す情報の送信要求をネットワーク上のサーバーに送る第２ステップと、
前記サーバーから、前記情報提供装置を示す情報を受信したことに基づき、前記情報提供装置の存在を報知する第３ステップと、
前記情報提供装置へのアクセスが指示されたことに基づき、前記通信手段を介して前記情報提供装置にアクセスし、前記情報提供装置から受信した情報を前記表示手段に表示する第４ステップと
を有することを特徴とするコンテンツ受信機器の制御及び関連情報の提示方法。
【請求項１０】
コンピュータに、
それぞれコンテンツの提供主体を特定する複数の識別情報の中から識別情報が選択されたことに基づき、コンテンツを受信する機器にコマンドを送信するための送信手段を介して前記機器を制御し、選択された前記識別情報で特定される前記提供主体からのコンテンツを受信させる手順と、
前記識別情報が選択されたことに基づき、ネットワーク経由で通信を行う通信手段を介し、選択された前記識別情報で特定される前記提供主体で現在提供中のコンテンツに関連したネットワーク上の情報提供装置を示す情報の送信要求をネットワーク上のサーバーに送る手順と、
前記サーバーから、前記情報提供装置を示す情報を受信したことに基づき、前記情報提供装置の存在を報知する手順と、
前記情報提供装置へのアクセスが指示されたことに基づき、前記通信手段を介して前記情報提供装置にアクセスし、前記情報提供装置から受信した情報を表示手段に表示する手順と
を実行させるためのプログラム。
【発明の詳細な説明】
【０００１】
【発明の属する技術分野】
本発明は、テレビジョン番組等のコンテンツの視聴と、そのコンテンツに関連したネットワーク上の情報の閲覧とを行うための端末装置に関する。
【０００２】
【従来の技術】
今日、家庭内には、テレビジョン受信機，ラジオ受信機，パーソナルコンピュータというように、コンテンツ（テレビジョン番組，ラジオ番組，インターネット経由でダウンロードまたはストリーミングによって提供される映像・音声コンテンツ等）を受信する様々な機器が普及している。
【０００３】
他方、インターネット上では、そうしたコンテンツに関連した情報（例えば、テレビジョン番組を紹介する広告情報や、テレビジョン番組内で登場した店舗についての情報等）が多数提供されている。
【０００４】
従来、ユーザーは、コンテンツに関連したインターネット上の情報を閲覧した結果、そのコンテンツを視聴したくなった場合、そのコンテンツを視聴するための操作を、その情報を閲覧する操作とは全く別個の独立した操作として行っていた。
【０００５】
具体的には、例えば、現在放送の最中であるテレビジョン番組を紹介するインターネット上の広告情報をパーソナルコンピュータで閲覧した結果、そのテレビジョン番組を視聴したくなった場合、パーソナルコンピュータとは別の機器であるテレビジョン受信機を操作してそのテレビジョン番組を視聴していた。
【０００６】
また逆に、従来ユーザーは、コンテンツを視聴した結果、そのコンテンツに関連したインターネット上のサイトの情報を閲覧したくなった場合にも、そのサイトにアクセスするための操作を、そのコンテンツを視聴する操作とは全く別個の独立した操作として行っていた。
【０００７】
具体的には、例えば、テレビジョン受信機でテレビショッピングの番組を視聴した結果、その番組と連動しているオンラインショッピングのサイトの情報を閲覧したくなった場合、テレビジョン受信機とは別の機器であるパーソナルコンピュータを操作してそのサイトにアクセスしていた。
【０００８】
他方、テレビジョン受信機とは別に、タッチパネル式の小型の手元ディスプレイを設け、テレビジョン受信機のリモートコントローラの操作に基づいてテレビジョン番組の動画像をホームサーバーを介してテレビジョン受信機に表示するとともに、タッチパネルの操作に基づいてインターネット上のサイトのＷｅｂページをホームサーバーを介して手元ディスプレイに表示するようにした情報表示システムも従来から提案されている（例えば、特許文献１参照）。
【０００９】
しかし、この情報表示システムでも、ユーザーは、テレビジョン番組に関連したインターネット上の情報を手元ディスプレイで閲覧した結果、そのテレビジョン番組を視聴したくなった場合、やはりリモートコントローラでテレビジョン受信機を操作しなければならない。また逆に、テレビジョン受信機でテレビジョン番組を視聴した結果、それに関連したインターネット上の情報を閲覧したくなった場合、やはり手元ディスプレイのタッチパネルを操作しなければならない。
【００１０】
このように、従来、ユーザーは、テレビジョン番組等のコンテンツを視聴するとともにそのコンテンツに関連したインターネット上の情報を閲覧しようとする場合、コンテンツを視聴するための操作と、インターネット上の関連情報を閲覧するための操作とを、全く別個の独立した操作として行う必要があった。
【００１１】
【特許文献１】
特開２０００−１１５６６４公報（段落番号０００９〜００１７、図１〜図５）
【００１２】
【発明が解決しようとする課題】
しかし、今日のようにテレビジョン番組等のコンテンツに関連した情報がインターネット上で多数提供されている状況のもとでは、このように全く別個の独立した操作を行わなければならないことは、ユーザーにとってたいへん煩雑である。
【００１３】
本発明は、上述の点に鑑み、テレビジョン番組等のコンテンツの視聴と、そのコンテンツに関連したネットワーク上の情報の閲覧とを、単一の端末装置の一連の簡単な操作によって行えるようにすることを課題としてなされたものである。
【００１４】
【課題を解決するための手段】
この課題を解決するために、本出願人は、ネットワーク経由で通信を行う通信手段と、コンテンツを受信する機器にコマンドを送信するための送信手段と、表示手段と、この表示手段に表示される情報を選択するための操作手段と、現在提供中のコンテンツに関連する情報の送信要求を、この通信手段を介してネットワーク上のサーバーに送る処理手段と、このサーバーから情報を受信したことに基づき、個々のコンテンツについての情報を、そのコンテンツの提供主体を特定する識別情報と対応させてこの表示手段に表示する処理手段と、この操作手段でいずれかの識別情報が選択されたことに基づき、この送信手段を介し、コンテンツを受信する機器を制御して、選択された識別情報で特定される提供主体からコンテンツを受信させる制御手段とを備えたコンテンツマネージメント端末を提案する。
【００１５】
このコンテンツマネージメント端末（本発明に係る第１の端末）では、現在提供中のコンテンツについての関連情報の送信要求がネットワーク上のサーバーに送られる。そして、サーバーからその情報を受信すると、個々のコンテンツについての関連情報が、そのコンテンツの提供主体を特定する識別情報と対応させて表示される。
【００１６】
したがって、現在提供中の個々のコンテンツについての関連情報毎に、いわばユーザーをそのコンテンツに誘導するようにして、そのコンテンツの提供主体を特定する識別情報が併せて表示されることになる。
【００１７】
ユーザーが、いずれかのコンテンツについての関連情報をこのコンテンツマネージメント端末で閲覧した結果、そのコンテンツを視聴したくなり、表示されている識別情報を選択する操作を行うと、このコンテンツマネージメント端末により、コンテンツを受信する機器が制御されて、その識別情報で特定される提供主体からのコンテンツ（すなわちユーザーが視聴したくなったコンテンツ）が受信される。これにより、ユーザーは、その機器でそのコンテンツを視聴することができる。
【００１８】
このように、ユーザーは、現在提供中のコンテンツについての情報をこのコンテンツマネージメント端末で閲覧した結果、そのコンテンツを視聴したくなった場合、引き続きこのコンテンツマネージメント端末で、そのコンテンツに誘導するようにして表示されている識別情報を選択する操作を行うことにより、そのコンテンツを視聴することができる。
【００１９】
これにより、コンテンツの視聴と、そのコンテンツに関連したネットワーク上の情報の閲覧とを、単一の端末装置の一連の簡単な操作によって行うことができる。
【００２０】
なお、このコンテンツマネージメント端末において、コンテンツを受信する機器にコマンドを送信するための送信手段としては、例えば赤外線送信手段を設けるようにすればよい。
【００２１】
次に、本出願人は、ネットワーク経由で通信を行う通信手段と、コンテンツを受信する機器にコマンドを送信するための送信手段と、表示手段と、この表示手段に表示された情報を選択するための操作手段とを備えた端末における、コンテンツを受信する機器を制御し且つコンテンツに関連した情報を提示する方法において、現在提供中のコンテンツを関連した情報の送信要求を、この通信手段を介してネットワーク上のサーバーに送る第１ステップと、このサーバーから情報を受信したことに基づき、個々のコンテンツについての情報を、そのコンテンツの提供主体を特定する識別情報と対応させてこの表示手段に表示する第２ステップと、この操作手段でいずれかの識別情報が選択されたことに基づき、この送信手段を介し、コンテンツを受信する機器を制御して、選択された識別情報で特定される提供主体からコンテンツを受信させる第３ステップとを有するコンテンツ受信機器の制御及び関連情報の提示方法を提案する。
【００２２】
また、本出願人は、コンピュータに、現在提供中のコンテンツを関連した情報の送信要求を、ネットワーク経由で通信を行う通信手段を介してネットワーク上のサーバーに送る手順と、このサーバーから情報を受信したことに基づき、個々のコンテンツについての情報を、そのコンテンツの提供主体を特定する識別情報と対応させて表示手段に表示する手順と、この表示手段に表示したいずれかの識別情報が選択されたことに基づき、コンテンツを受信する機器にコマンドを送信するための送信手段を介し、この機器を制御して、選択された識別情報で特定される提供主体からコンテンツを受信させる手順とを実行させるためのプログラムを提案する。
【００２３】
この方法やプログラム（本発明に係る第１の方法やプログラム）を実行する端末によれば、前述の本発明に係る第１の端末について説明したのと全く同様にして、現在提供中のコンテンツについての情報をその端末で閲覧した結果そのコンテンツを視聴したくなった場合、引き続きその端末でそのコンテンツに誘導するようにして表示されている識別情報を選択する操作を行うことにより、そのコンテンツを視聴することができる。
【００２４】
次に、本出願人は、それぞれコンテンツの提供主体を特定する複数の識別情報の中から識別情報を選択するための操作手段と、ネットワーク経由で通信を行う通信手段と、コンテンツを受信する機器にコマンドを送信するための送信手段と、表示手段と、この操作手段で識別情報が選択されたことに基づき、この送信手段を介してこの機器を制御し、選択された識別情報で特定される提供主体からのコンテンツを受信させる制御手段と、この操作手段で識別情報が選択されたことに基づき、この通信手段を介し、選択された識別情報で特定される提供主体で現在提供中のコンテンツに関連したネットワーク上の情報提供装置を示す情報の送信要求をネットワーク上のサーバーに送る処理手段と、このサーバーから、その情報提供装置を示す情報を受信したことに基づき、その情報提供装置の存在を報知する報知手段と、この報知手段で報知された情報提供装置へのアクセスを指示する操作を行うための第２の操作手段と、この第２の操作手段による指示に基づき、この通信手段を介してその情報提供装置にアクセスし、その情報提供装置から受信した情報をこの表示手段に表示する処理手段とを備えたコンテンツマネージメント端末を提案する。
【００２５】
このコンテンツマネージメント端末（本発明に係る第２の端末）では、コンテンツの提供主体を特定する複数の識別情報の中から識別情報を選択する操作が行われたことに基づき、コンテンツを受信する機器が制御されて選択された識別情報で特定される提供主体からのコンテンツが受信される。
【００２６】
また同時に、識別情報を選択する操作が行われたことに基づき、選択された識別情報で特定される提供主体で現在提供中のコンテンツに関連したネットワーク上の情報提供装置を示す情報の送信要求がネットワーク上のサーバーに送られる。そして、そのサーバーからその情報提供装置を示す情報を受信したことに基づき、その情報提供装置の存在が報知される。
【００２７】
したがって、ユーザーが現在視聴しているコンテンツに関連したネットワーク上の情報提供装置の存在が、自動的にユーザーに知らされることになる。
【００２８】
ユーザーが、現在視聴しているコンテンツに関連したネットワーク上の情報提供装からの情報を閲覧したくなり、その情報提供装置へのアクセスを指示する操作を行うと、このコンテンツマネージメント端末により、その情報提供装置にアクセスされ、その情報提供装置から受信した情報が表示される。これにより、ユーザーは、現在視聴しているコンテンツに関連したネットワーク上の情報提供装からの情報を閲覧することができる。
【００２９】
このように、ユーザーは、このコンテンツマネージメント端末を操作してコンテンツ受信機器でコンテンツを視聴すると、そのコンテンツに関連した情報を提供するネットワーク上の情報提供装置の存在を自動的に知らされ、その情報を閲覧したくなった場合、引き続きこのコンテンツマネージメント端末で、その情報提供装置へのアクセスを指示する操作を行うことにより、その情報を閲覧することができる。
【００３０】
これにより、コンテンツの視聴と、そのコンテンツに関連したネットワーク上の情報の閲覧とを、単一の端末装置の一連の簡単な操作によって行うことができる。
【００３１】
なお、このコンテンツマネージメント端末において、コンテンツを受信する機器にコマンドを送信するための送信手段としては、例えば赤外線送信手段を設けるようにすればよい。
【００３２】
また、このコンテンツマネージメント端末において、一例として、ＩＣカードリーダーと、ネットワーク上の課金決済装置との間で、このＩＣカードリーダーによってＩＣカードから読み取った情報を用いた課金決済を行う課金決済手段とをさらに備えることがさらに好適である。
【００３３】
それにより、例えば、テレビショッピング番組に連動したオンラインショッピングのサイトにアクセスした際に、ユーザーが個人情報等の入力操作を行わなくても、ＩＣカードを用いて課金決済を行うことができるようになる。
【００３４】
次に、本出願人は、それぞれコンテンツの提供主体を特定する複数の識別情報の中から識別情報を選択するための操作手段と、ネットワーク経由で通信を行う通信手段と、コンテンツを受信する機器にコマンドを送信するための送信手段と、表示手段とを備えた端末における、コンテンツを受信する機器を制御し且つコンテンツに関連した情報を提示する方法において、この操作手段で識別情報が選択されたことに基づき、この送信手段を介してこの機器を制御し、選択された識別情報で特定される提供主体からのコンテンツを受信させる第１ステップと、この操作手段で識別情報が選択されたことに基づき、この通信手段を介し、選択された識別情報で特定される提供主体で現在提供中のコンテンツに関連したネットワーク上の情報提供装置を示す情報の送信要求をネットワーク上のサーバーに送る第２ステップと、このサーバーから、その情報提供装置を示す情報を受信したことに基づき、その情報提供装置の存在を報知する第３ステップと、その情報提供装置へのアクセスが指示されたことに基づき、この通信手段を介してその情報提供装置にアクセスし、その情報提供装置から受信した情報をこの表示手段に表示する第４ステップとを有するコンテンツ受信機器の制御及び関連情報の提示方法を提案する。
【００３５】
また、本出願人は、コンピュータに、それぞれコンテンツの提供主体を特定する複数の識別情報の中から識別情報が選択されたことに基づき、コンテンツを受信する機器にコマンドを送信するための送信手段を介してこの機器を制御し、選択された識別情報で特定される提供主体からのコンテンツを受信させる手順と、この識別情報が選択されたことに基づき、ネットワーク経由で通信を行う通信手段を介し、選択された識別情報で特定される提供主体で現在提供中のコンテンツに関連したネットワーク上の情報提供装置を示す情報の送信要求をネットワーク上のサーバーに送る手順と、このサーバーから、その情報提供装置を示す情報を受信したことに基づき、その情報提供装置の存在を報知する手順と、その情報提供装置へのアクセスが指示されたことに基づき、この通信手段を介してその情報提供装置にアクセスし、その情報提供装置から受信した情報を表示手段に表示する手順とを実行させるためのプログラムを提案する。
【００３６】
この方法やプログラム（本発明に係る第２の方法やプログラム）を実行する端末によれば、前述の本発明に係る第２の端末について説明したのと全く同様にして、その端末を操作してコンテンツを視聴した際に、そのコンテンツに関連した情報を提供するネットワーク上の情報提供装置の存在を自動的に知らされ、その情報を閲覧したくなった場合、引き続きその端末でその情報提供装置へのアクセスを指示する操作を行うことによってその情報を閲覧することができる。
【００３７】
【発明の実施の形態】
以下、本発明を、図面を用いて具体的に説明する。図１は、本発明を適用した携帯端末の外観構成例を示す正面図である。このコンテンツマネージメント携帯端末（以下単に‘携帯端末’とも呼ぶ）１の表側の面には、タッチパネル式の表示部２や、モード（後述する番組情報モード，番組誘導モード，番組関連情報モード，番組関連サイトモード）選択用釦やカーソル釦等の各種の釦３や、スピーカ４や、マイクロホン５が設けられている。
【００３８】
また、図には表れていないが、携帯端末１の側面には、赤外線通信用の赤外線送信部が設けられており、携帯端末１の裏側の面には、非接触ＩＣカードを挿入して保持するための挿入口も設けられている。非接触ＩＣカードとしては、例えばＦｅｌｉＣａ（フェリカ）（「ＦｅｌｉＣａ」は登録商標）を採用してクレジットカード機能や電子マネー機能を有するものが知られている。
【００３９】
図２は、携帯端末１の回路構成を示すブロック図である。携帯端末１には、制御・処理系として、ＣＰＵ１１，ブートメモリ（ＥＥＰＲＯＭ）１２，キャッシュメモリ（ＳＲＡＭ）１３を搭載したメインボード１４が設けられている。ＣＰＵ１１は、ブートメモリ１２に格納されたプログラムやデータに基づき、後出の各種処理を実行する。
【００４０】
メインボード１４には、図１の表示部２を含んだタッチセンサ付液晶モジュール１５と、図１の各釦３，スピーカ４及びマイクロホン５が接続されている。
【００４１】
また、メインボード１４には、非接触ＩＣカードのカードリーダー／ライター１６と、前述の赤外線送信部を含んだ赤外線通信モジュール１７と、無線ＬＡＮ（ＩＥＥＥ８０２．１１ｂ）のインターフェース１８と、電源としてのバッテリー１９とが接続されている。カードリーダー／ライター１６として用いることのできる非接触ＩＣカードリーダー／ライターとしては、例えばＦｅｌｉＣａを採用したカードリーダー／ライターが知られている。
【００４２】
図３は、この携帯端末１を利用した番組視聴・コンテンツ閲覧システムの全体構成例を示す図である。このシステムは、家庭２０内のテレビジョン受信機２１でテレビジョン番組を視聴したり、テレビジョン番組に関連したインターネット３１上のコンテンツを閲覧するためのものである。
【００４３】
家庭２０内では、携帯端末１が、無線ＬＡＮアクセスポイント２２，ＩＰルーター２３及びＡＤＳＬモデム２４を介してインターネット３１に接続されている。テレビジョン受信機２１は、赤外線通信による遠隔制御が可能な機器である。
【００４４】
携帯端末１のブートメモリ１２（図２）には、インターネット３１上に存在する情報提供サイト（テレビジョン番組自体の情報やテレビジョン番組に関連した情報等を提供するサービスを行うサイト）３２のＵＲＬのデータも記憶されている。情報提供サイト３２では、ユーザーを管理するためのユーザー管理サーバー３４や、電子番組ガイド（ＥＰＧ）のデータを蓄積するＥＰＧデータベース３５や、テレビジョン番組に関連した情報（例えばテレビジョン番組内で登場した店舗についての情報等のメタデータ）を蓄積するための情報サーバー３６や、テレビジョン番組に関連した複数の番組関連サイト３３（例えばテレビジョン放送局が運営するサイト等）のＵＲＬのデータを管理するためのＵＲＬ管理サーバー３７が、ゲートウェイ３８を介してインターネット３１に接続されている。
【００４５】
インターネット３１上には、番組関連サイト３３と提携して、クレジットカード機能や電子マネー機能を有する非接触ＩＣカードによる課金決済サービスを行う課金決済サービスプロバイダ３９も存在している。
【００４６】
次に、このシステムでテレビジョン番組の視聴やテレビジョン番組に関連した情報の閲覧を行う際の、携帯端末１の表示画面や携帯端末１による処理について説明する。
【００４７】
〔番組情報の表示〕
携帯端末１の釦３（図１）の操作によって番組情報モードが選択されると、携帯端末１のＣＰＵ１１（図２）は、携帯端末１の表示部２（図１）にリモコン画面を表示する。
【００４８】
図４Ａは、このリモコン画面の一例を示す。このリモコン画面には、チャンネル選択釦４１，テレビ電源釦４２，‘ｉ’釦４３が含まれている。
【００４９】
また、携帯端末１のＣＰＵ１１は、番組情報モードが選択されると、図５にも▲１▼として示すように、インターネット３１経由で情報提供サイト３２にアクセスして、番組情報の送信を要求する。
【００５０】
情報提供サイト３２は、この要求に応じて、ＥＰＧデータベース３５内のデータから、各チャンネルで現在放送の最中であるテレビジョン番組についての番組情報（番組のタイトルや内容等の情報）を作成する。そして、図５にも▲２▼として示すように、作成した番組情報を携帯端末１に送信する。
【００５１】
そしてリモコン画面のチャンネル選択釦４１（図４）でいずれかのチャンネルが選択されると、携帯端末１のＣＰＵ１１は、情報提供サイト３２から送られた番組情報のうち、選択されたチャンネルについての番組情報を表示部２に表示するとともに、図５にも▲３▼として示すように、赤外線通信によってテレビジョン受信機２１を制御して、選択されたチャンネルを選局させる。
【００５２】
他方、図４Ｂは、このリモコン画面の別の例を示す。このこのリモコン画面では、情報提供サイト３２から送信された番組情報を用いて携帯端末１のＣＰＵ１１が作成したＥＰＧの表示欄や、チャンネルを選択するためのキー４４や、放送時間帯を選択するためのキー４５や、放送日を選択するためのキー４６を含んでいる。
【００５３】
そして、このリモコン画面で、現在放送の最中であるいずれかの番組についてのＥＰＧの表示部分がタッチされると、携帯端末１のＣＰＵ１１は、赤外線通信によってテレビジョン受信機２１を制御して、その番組を放送している放送局のチャンネルを選局させる。
【００５４】
また、このリモコン画面で、これから放送の予定の番組についてのＥＰＧの表示部分がタッチされると、携帯端末１のＣＰＵ１１は、赤外線通信によってテレビジョン受信機２１（または図示しないＶＴＲ）を制御して、その番組の録画予約を行わせる。
【００５５】
〔番組への誘導〕
携帯端末１の釦３（図１）の操作によって番組誘導モードが選択されると、携帯端末１のＣＰＵ１１（図２）は、図６にも▲１▼として示すように、インターネット３１経由で情報提供サイト３２にアクセスして、現在放送の最中である最中であるテレビジョン番組の広告情報の送信を要求する。
【００５６】
情報提供サイト３２は、この要求に応じて、ＥＰＧデータベース３５内のデータや情報サーバー３６内の情報から、現在放送の最中である最中である１または複数のテレビジョン番組を紹介する広告情報を作成する。そして、図６にも▲２▼として示すように、作成した広告情報を、そのテレビジョン番組を放送している放送局のチャンネルの情報とともに携帯端末１に送信する。
【００５７】
携帯端末１のＣＰＵ１１は、情報提供サイト３２からのこれらの情報に基づき、図７に例示するような、現在放送の最中である最中である１つずつのテレビジョン番組についての広告情報を表示する広告情報欄５１と、広告情報欄５１に広告情報が表示されているテレビジョン番組を放送している放送局のチャンネル（図の例では７チャンネル）を表示するチャンネル釦５２と、テレビ電源釦５３とを含む番組誘導画面を表示部２に表示する。
【００５８】
この番組誘導画面のテレビ電源釦５３が操作されると、携帯端末１のＣＰＵ１１は、図６にも▲３▼として示すように、赤外線通信によってテレビジョン受信機２１を制御して、電源のオンオフを行わせる。そして、テレビ電源釦５３がオンにされた状態で、チャンネル釦５２が押されると、携帯端末１のＣＰＵ１１は、赤外線通信によってテレビジョン受信機２１を制御して、そのチャンネル釦５２が表示しているチャンネルを選局させる。
【００５９】
こうして、番組誘導モードでは、現在放送の最中である１つずつのテレビジョン番組についてのインターネット上の広告情報が、そのテレビジョン番組を放送している放送局のチャンネルと対応させて表示される。
【００６０】
したがって、現在放送の最中である１つずつのテレビジョン番組についての広告情報毎に、いわばユーザーをそのテレビジョン番組に誘導するようにして、そのテレビジョン番組を放送している放送局のチャンネルが併せて表示されることになる。
【００６１】
そして、ユーザーが、いずれかのテレビジョン番組についての広告情報をこの携帯端末１で閲覧した結果、そのテレビジョン番組を視聴したくなり、表示されているチャンネルを選択する操作を行う（チャンネル釦５２を押す）と、テレビジョン受信機２１が制御されて、そのチャンネルの放送局のテレビジョン番組（すなわちユーザーが視聴したくなったテレビジョン番組）が受信される。これにより、ユーザーは、テレビジョン受信機２１でそのテレビジョン番組を視聴することができる。
【００６２】
こうして、ユーザーは、現在放送の最中であるテレビジョン番組についての広告情報を携帯端末１で閲覧した結果、そのテレビジョン番組を視聴したくなった場合、引き続き携帯端末１で、そのテレビジョン番組に誘導するようにして表示されているチャンネルを選択する操作を行うことにより、そのテレビジョン番組を視聴することができる。
【００６３】
〔番組関連情報の表示〕
携帯端末１の釦３（図１）の操作によって番組関連情報モードが選択されると、携帯端末１のＣＰＵ１１（図２）は、図４に示したリモコン画面を表示する。
【００６４】
リモコン画面のテレビ電源釦４２が操作されたり、テレビ電源釦４２をオンにした状態でチャンネル選択釦４１が操作されると、携帯端末１のＣＰＵ１１は、図８にも▲１▼として示すように、赤外線通信によってテレビジョン受信機２１を制御して、電源のオン・オフや選局を行わせる。
【００６５】
また、携帯端末１のＣＰＵ１１は、テレビ電源釦４２をオンにした状態でチャンネル選択釦４１が操作されると、図８にも▲２▼として示すように、インターネット３１経由で情報提供サイト３２にアクセスして、チャンネル選択釦４１で選択されたチャンネルを示す情報と、そのチャンネルで現在放送の最中であるテレビジョン番組についての関連情報の送信要求とを送る。
【００６６】
情報提供サイト３２は、このチャンネルを示す情報及び送信要求に基づき、情報サーバー３６内の情報から、チャンネル選択釦４１で選択されたチャンネルで現在放送の最中であるテレビジョン番組についての関連情報（例えば番組内で登場した店舗についての情報等）を作成する。
【００６７】
そして、図８にも▲３▼として示すように、作成した関連情報を携帯端末１に送信する。携帯端末１のＣＰＵ１１は、情報提供サイト３２から送られた関連情報を表示部２に表示する。
【００６８】
したがって、ユーザーは、携帯端末１を操作して、テレビジョン受信機２１でテレビジョン番組を視聴した結果、そのテレビジョン番組に関連したインターネット上の情報（番組内で登場した店舗についての情報等）を閲覧したくなった場合、引き続きこの携帯端末１を操作して、その情報を携帯端末１で閲覧することができる。
【００６９】
〔番組関連サイトへのアクセス〕
携帯端末１の釦３（図１）の操作によって番組関連サイトモードが選択されると、携帯端末１のＣＰＵ１１（図２）は、図４に示したリモコン画面を表示する。
【００７０】
リモコン画面のテレビ電源釦４２が操作されたり、テレビ電源釦４２をオンにした状態でチャンネル選択釦４１が操作されると、携帯端末１のＣＰＵ１１は、図９にも▲１▼として示すように、赤外線通信によってテレビジョン受信機２１を制御して、電源のオンオフや選局を行わせる。
【００７１】
また、携帯端末１のＣＰＵ１１は、テレビ電源釦４２をオンにした状態でチャンネル選択釦４１が操作されると、図９にも▲２▼として示すように、インターネット３１経由で情報提供サイト３２にアクセスして、チャンネル選択釦４１で選択されたチャンネルを示す情報と、そのチャンネルで現在放送の最中であるテレビジョン番組に関連した番組関連サイト３３のＵＲＬのデータの送信要求とを送る。
【００７２】
情報提供サイト３２は、このチャンネルを示す情報及び送信要求に基づき、ＵＲＬ管理サーバー３７内から、チャンネル選択釦４１で選択されたチャンネルで現在放送の最中であるテレビジョン番組に関連した番組関連サイト３３のＵＲＬのデータを取得する。
【００７３】
そして、図９にも▲３▼として示すように、取得したＵＲＬのデータを携帯端末１に送信する。
【００７４】
携帯端末１のＣＰＵ１１は、情報提供サイト３２からＵＲＬのデータが送られると、リモコン画面の‘ｉ’釦４３（図４）を点灯させる。そして、‘ｉ’釦４３が押されると、図９にも▲４▼として示すように、そのＵＲＬの番組関連サイト３３にインターネット３１経由でアクセスして、その番組関連サイト３３からの情報を表示部２に表示する。
【００７５】
このように、番組関連サイトモードでは、チャンネルを選択する操作が行われたことに基づき、テレビジョン受信機２１が制御されて選択されたチャンネルの放送局からのテレビジョン番組が受信される。
【００７６】
また同時に、チャンネルを選択する操作が行われたことに基づき、選択されたチャンネルの放送局で現在放送の最中であるテレビジョン番組に関連した番組関連サイト３３のＵＲＬのデータの送信要求が情報提供サイト３２に送られる。そして、その情報提供サイト３２からＵＲＬのデータを受信したことに基づき、その番組関連サイト３３の存在が報知される。
【００７７】
したがって、ユーザーが現在視聴しているテレビジョン番組に関連した番組関連サイト３３の存在が、自動的にユーザーに知らされることになる。
【００７８】
そして、ユーザーが、現在視聴しているテレビジョン番組に関連した番組関連サイト３３の情報を閲覧したくなり、その番組関連サイト３３へのアクセスを指示する操作を行う（‘ｉ’釦４３を押す）と、その番組関連サイト３３にアクセスされ、その番組関連サイト３３から受信した情報が表示される。これにより、ユーザーは、現在視聴しているテレビジョン番組に関連した番組関連サイト３３の情報を閲覧することができる。
【００７９】
こうして、ユーザーは、携帯端末１を操作してテレビジョン受信機２１でテレビジョン番組を視聴すると、そのテレビジョン番組に関連した情報を提供するインターネット上の番組関連サイトの存在を自動的に知らされ、その情報を閲覧したくなった場合、引き続き携帯端末１で、その番組関連サイトへのアクセスを指示する操作を行うことにより、その情報を閲覧することができる。
【００８０】
次に、こうした「番組関連サイトへのアクセス」の一態様であるテレビショッピングについて説明する。
【００８１】
番組関連サイトモードにおいて、リモコン画面のチャンネル選択釦４１（図４）で選択したチャンネルで現在放送の最中であるテレビジョン番組が、テレビショッピングの番組であり、‘ｉ’釦４３の操作によってアクセスした番組関連サイト３３が、そのテレビショッピングの番組と連動したオンラインショッピングのサイトであったとする。
【００８２】
携帯端末１のＣＰＵ１１は、図９にも▲５▼として示すように、そのオンラインショッピングサイトから商品のリストデータ（商品名や価格等のデータ）を取得し、そのリストデータを用いて、図１０に示すようなショッピングサイト初期画面（商品を１つずつ紹介するとともにその商品の購入数量を選択するための表示欄と、図４のリモコン画面に戻るための釦６１と、表示欄に表示されている商品の購入を決定するための釦６２とを含む画面）を表示部２に表示する。
【００８３】
このショッピングサイト初期画面でいずれかの商品の購入が決定されると、携帯端末１のＣＰＵ１１は、図９にも▲６▼として示すように、その商品及び購入数量を示す情報を、そのオンラインショッピングサイトに送信する。
【００８４】
そして、携帯端末１のＣＰＵ１１は、図９にも▲７▼として示すようにそのオンラインショッピングサイトから返送される情報等に基づき、図１１に示すような注文内容確認画面（購入を決定した商品の商品名・数量・価格の表示欄や、‘Ｃａｎｃｅｌ’釦６３，‘ＯＫ’釦６４を含む画面）を表示部２に表示する。
【００８５】
このコンテンツ確認画面で‘ＯＫ’釦６４が操作されると、携帯端末１のＣＰＵ１１は、図１２に示すような支払方法選択画面（購入を決定した商品の商品名・数量・価格の表示欄や、非接触ＩＣカードのクレジットカード機能による支払いを選択するための釦６５や、非接触ＩＣカードの電子マネー機能による支払いを選択するための釦６６を含む画面）を表示部２に表示する。
【００８６】
この支払方法選択画面の釦６５または６６で支払方法が選択されると、携帯端末１のＣＰＵ１１は、図１３に示すように、非接触ＩＣカードを挿入させるメッセージや、‘Ｃａｎｃｅｌ’釦６７，‘ＯＫ’釦６８を含むメッセージ画面を表示部２に表示する。
【００８７】
携帯端末１の裏面の挿入口に非接触ＩＣカードが挿入されるとともにこのメッセージ画面で‘ＯＫ’釦６８が操作されると、携帯端末１のＣＰＵ１１は、図１４に示すような注文内容確認画面（購入を決定した商品の商品名・数量・価格，支払方法，支払金額の表示欄や、‘Ｃａｎｃｅｌ’釦６９，‘ＯＫ’釦７０を含む画面）を表示部２に表示する。
【００８８】
この注文内容確認画面で‘ＯＫ’釦７０が操作されると、携帯端末１のＣＰＵ１１は、図９にも▲８▼として示すように、そのオンラインショッピングサイトと提携している課金決済サービスプロバイダ３９にアクセスして、カードリーダー／ライター１６（図２）で読み取った非接触ＩＣカードのデータ（ユーザーの住所・氏名やクレジットカード番号等の個人情報）や、支払方法選択画面（図１２）で選択された支払方法を示すデータを送信する。課金決済サービスプロバイダ３９では、これらのデータに基づき、カードの承認や課金決済を行う。
【００８９】
課金決済が終わると、携帯端末１のＣＰＵ１１は、図１５に示すように、注文の完了を伝えるメッセージや、注文を受けた商品の商品名・数量・価格，支払方法，支払金額の表示欄や、‘ＯＫ’釦７１を含むメッセージ画面を表示部２に表示する。
【００９０】
このメッセージ画面で‘ＯＫ’釦７１が押されると、携帯端末１のＣＰＵ１１は、ショッピングサイト初期画面（図１０）を表示部２に表示する。
【００９１】
このようにして、テレビショッピングの番組と連動したオンラインショッピングのサイトで商品を購入する際には、ユーザーが個人情報の入力操作を行わなくても、非接触ＩＣカードを用いて課金決済を行うことができる。
【００９２】
なお、以上の例では、非接触ＩＣカードを、オンラインショッピングを行う際の課金決済の際にのみ利用している。しかし、別の例として、非接触ＩＣカードを、情報提供サイト３２が会員制のサイトである場合のログインツールとして利用してもよい。
【００９３】
図１６Ａ，Ｂは、それぞれログインツールとしての非接触ＩＣカードの利用例を示す。このうち、図１６Ａの例では、ユーザーが情報提供サイト３２に会員登録した際のユーザーＩＤが携帯端末１に記憶されている。そして、ユーザーが携帯端末１に非接触ＩＣカード１１１を挿入すると、携帯端末１が非接触ＩＣカード１１１のユーザーＩＤを読み取ってユーザーを認証する。そして、情報提供サイト３２からのユーザーＩＤの要求に応じて、携帯端末１が、認証したユーザーについて記憶しているユーザーＩＤを情報提供サイト３２に送信することにより、情報提供サイト３２でそのユーザーＩＤが確認されて、ログインできるようになっている。
【００９４】
他方、図１６Ｂの例では、非接触ＩＣカード１１１のユーザーＩＤそのものが情報提供サイト３２に会員登録する際のユーザーＩＤとして用いられており、ユーザーが携帯端末１に非接触ＩＣカード１１１を挿入すると、情報提供サイト３２からのユーザーＩＤの要求に応じて、携帯端末１が、この非接触ＩＣカード１１１から読み取ったユーザーＩＤを情報提供サイト３２に送信することにより、会員制サイト１１２でユーザーＩＤが確認されて、ログインできるようになっている。
【００９５】
さらに、このように非接触ＩＣカードをログインツールとして利用する場合に、情報提供サイト３２が、番組誘導モードや番組関連情報モードや番組関連サイトモードにおいて、個々のユーザー毎に、そのユーザーの嗜好に応じた広告情報や番組関連情報やＵＲＬのデータを携帯端末１に送信するようにしてもよい。
【００９６】
そのためには、例えば、情報提供サイト３２へのログイン時に個々のユーザーに嗜好情報を入力させたり、個々のユーザーによる情報提供サイト３２の利用履歴からそのユーザーの嗜好情報を作成したりして、その嗜好情報を情報提供サイト３２で管理する（例えばユーザー管理サーバー３４に嗜好情報を蓄積する）ようにしてもよい。
【００９７】
あるいはまた、携帯端末１のほうで、個々のユーザーによる情報提供サイト３２の利用履歴やテレビジョン番組の視聴履歴からそのユーザーの嗜好情報を作成し、その嗜好情報に応じた広告情報や番組関連情報やＵＲＬのデータの送信を情報提供サイト３２に要求するようにしてもよい。
【００９８】
また、以上の例では、テレビジョン番組の視聴と、テレビジョン番組に関連したインターネット上の情報の閲覧とのために本発明を適用しているが、これに限らず、テレビジョン番組以外のコンテンツ（例えば、ラジオ番組や、インターネット経由でダウンロードまたはストリーミングによって提供される映像・音声コンテンツ等）の視聴と、そのコンテンツに関連したインターネットまたはその他のネットワーク上の情報の閲覧とのためにも本発明を適用してよい。
【００９９】
【発明の効果】
以上のように、本発明によれば、ユーザーは、現在提供中のコンテンツについての情報を端末で閲覧した結果、そのコンテンツを視聴したくなった場合、引き続きその端末で、そのコンテンツに誘導するようにして表示されている識別情報を選択する操作を行うことにより、そのコンテンツを視聴することができる。
【０１００】
これにより、コンテンツの視聴と、そのコンテンツに関連したネットワーク上の情報の閲覧とを、単一の端末装置の一連の簡単な操作によって行うことができるという効果が得られる。
【０１０１】
また、本発明によれば、ユーザーは、端末を操作してコンテンツ受信機器でコンテンツを視聴すると、そのコンテンツに関連した情報を提供するネットワーク上の情報提供装置の存在を自動的に知らされ、その情報を閲覧したくなった場合、引き続きこの端末で、その情報提供装置へのアクセスを指示する操作を行うことにより、その情報を閲覧することができる。
【０１０２】
これにより、やなり、コンテンツの視聴と、そのコンテンツに関連したネットワーク上の情報の閲覧とを、単一の端末装置の一連の簡単な操作によって行うことができるという効果が得られる。
【０１０３】
また、本発明によれば、例えばテレビショッピング番組に連動したオンラインショッピングのサイトにアクセスした際に、ユーザーが個人情報等の入力操作を行わなくても、ＩＣカードを用いて課金決済を行うことができるという効果も得られる。
【図面の簡単な説明】
【図１】本発明を適用した携帯端末の外観構成例を示す正面図である。
【図２】図１の携帯端末の回路構成を示すブロック図である。
【図３】図１の携帯端末を利用した番組視聴・コンテンツ閲覧システムの全体構成例を示す図である。
【図４】図１の携帯端末の表示画面を示す図である。
【図５】番組情報モード時の図３のシステムでの通信の様子を示す図である。
【図６】番組誘導モード時の図３のシステムでの通信の様子を示す図である。
【図７】図１の携帯端末の表示画面を示す図である。
【図８】番組関連情報モード時の図３のシステムでの通信の様子を示す図である。
【図９】番組関連サイトモード時の図３のシステムでの通信の様子を示す図である。
【図１０】図１の携帯端末の表示画面を示す図である。
【図１１】図１の携帯端末の表示画面を示す図である。
【図１２】図１の携帯端末の表示画面を示す図である。
【図１３】図１の携帯端末の表示画面を示す図である。
【図１４】図１の携帯端末の表示画面を示す図である。
【図１５】図１の携帯端末の表示画面を示す図である。
【図１６】図１の携帯端末における非接触ＩＣカードの別の利用例を示す図である。
【符号の説明】
１  コンテンツマネージメント携帯端末、  ２  表示部、  ３  スピーカ、  ４  マイクロホン、  ５  釦、  １１  ＣＰＵ、  １２  ブートメモリ、  １３キャッシュメモリ、  １４  メインボード、  １５タッチセンサ付液晶モジュール、  １６  非接触ＩＣカードリーダー／ライター、  １７  赤外線通信モジュール、  １８    無線ＬＡＮのインターフェース、  ２１  テレビジョン受信機、  ２２  無線ＬＡＮアクセスポイント、  ２３  ＩＰルーター、  ２４  ＡＤＳＬモデム、  ３１  インターネット、  ３２  情報提供サイト、  ３３  番組関連サイト、  ３４  ユーザー管理サーバー、  ３５  ＥＰＧデータベース、３６  情報サーバー、  ３７  ＵＲＬ管理サーバー、  ３８  ゲートウェイ、３９  課金決済サービスプロバイダ、  １１１  非接触ＩＣカード
【図１】
2005033328.tif 000003
【図２】
2005033328.tif 000004
【図３】
2005033328.tif 000005
【図４】
2005033328.tif 000006
【図５】
2005033328.tif 000007
【図６】
2005033328.tif 000008
【図７】
2005033328.tif 000009
【図８】
2005033328.tif 000010
【図９】
2005033328.tif 000011
【図１０】
2005033328.tif 000012
【図１１】
2005033328.tif 000013
【図１２】
2005033328.tif 000014
【図１３】
2005033328.tif 000015
【図１４】
2005033328.tif 000016
【図１５】
2005033328.tif 000017
【図１６】
2005033328.tif 000018